(57)【要約】      （修正有）【課題】３人の遊戯者で遊戯される三人麻雀の興趣を向上させることができる自動麻雀卓を提供する。【解決手段】三脚１で支持される平面視で三角形状の卓３、卓に搭載されるコンピュータ、コンピュータに接続されるモータに駆動される駆動機構を介して回転される傾斜ターンテーブル、傾斜ターンテーブルの上方に配置されてコンピュータに接続される推牌器、推牌器と傾斜ターンテーブルとを連結して電磁気を用いて牌を搬送する搬送路、推牌器に隣接して配置されてモータに駆動されるリフタを介して昇降される昇降板、卓の天板に取り付けられてリフタを介して昇降される昇降パネル４、コンピュータに接続されて卓の下部に配置されるヒータ１１、ヒータに接続され、環境温度を検知するとともに検知した環境温度の情報をコンピュータに供給する温度センサを有するセンサ群を備え、センサ群は、温度センサに加えて識別センサ、位置検出センサ及び色検知センサを備える。【選択図】図１
0003212677.tif 000002
【実用新案登録請求の範囲】
【請求項１】
三脚で支持される平面視で三角形状の卓と、
該卓に搭載されるコンピュータと、
該コンピュータに接続されるモータに駆動される駆動機構を介して回転される傾斜ターンテーブルと、
該傾斜ターンテーブルの上方に配置されて前記コンピュータに接続される推牌器と、
該推牌器と前記傾斜ターンテーブルとを連結して電磁気を用いて牌を搬送する搬送路と、
前記推牌器に隣接して配置されて前記モータに駆動されるリフタを介して昇降される昇降板と、
前記卓の天板に取り付けられて前記リフタを介して昇降される昇降パネルと、
前記コンピュータに接続されて前記卓の下部に配置されるヒータと、
該ヒータに接続され、環境温度を検知するとともに検知した前記環境温度の情報を前記コンピュータに供給する温度センサを有するセンサ群と、を備え、
該センサ群は、
前記温度センサに加えて識別センサ、位置検出センサ及び色検知センサを備えることを特徴とする自動麻雀卓。
【請求項２】
前記コンピュータに電源、音声モジュール及びショート保護装置が接続され、
該電源には漏電防止プラグが接続され、
前記音声モジュールは、音声識別器及び音声プレーヤを有する、
ことを特徴とする請求項１に記載の自動麻雀卓。
【請求項３】
前記昇降パネルの中央部分に透明状のサイコロ回転筒が配置され、
該サイコロ回転筒の周囲に前記リフタを駆動させるボタン、及び指示灯が配置されたことを特徴とする請求項１または２に記載の自動麻雀卓。
【請求項４】
前記卓の天板における前記昇降パネルと対応する位置に前記卓の天板の表面と裏面とで転回可能な板が配置され、
前記板と前記卓の天板が防水加工されていることを特徴とする請求項１〜３のいずれか１項に記載の自動麻雀卓。
【考案の詳細な説明】
【技術分野】
【０００１】
本考案は、自動麻雀卓、特に、卓内に投入された牌を整列させて卓の天板の上に押し上げる自動麻雀卓に関する。
【背景技術】
【０００２】
この種の自動麻雀卓としては、傾斜ターンテーブルとホッパリングとを用いて１つの取出し口から牌を取り出す方式（例えば、特許文献１を参照。）、及び水平ターンテーブルを用いて４つの取出し口から牌を取り出す方式（例えば、特許文献２を参照。）に大別される。
【先行技術文献】
【特許文献】
【０００３】
【特許文献１】特開昭５４−４０７４１公報
【特許文献２】特開昭６１−２４４３８４公報
【考案の概要】
【考案が解決しようとする課題】
【０００４】
ところで、麻雀は４人の遊戯者で遊戯されることが一般的であることから、自動麻雀卓も４人分の遊戯者席が準備された自動麻雀卓として構成されている。その一方で、３人の遊戯者で遊戯されるいわゆる三人麻雀において、この種の自動麻雀卓を用いる場合は、余剰の遊戯者席が生じることとなり、三人麻雀の興趣が削がれることが懸念される。
【０００５】
本考案は、上記事情に鑑みてなされたものであり、３人の遊戯者で遊戯される三人麻雀の興趣を向上させることができる自動麻雀卓を提供することを課題とするものである。
【課題を解決するための手段】
【０００６】
上記課題を解決するための第１の考案による自動麻雀卓は、三脚で支持される平面視で三角形状の卓と、該卓に搭載されるコンピュータと、該コンピュータに接続されるモータに駆動される駆動機構を介して回転される傾斜ターンテーブルと、該傾斜ターンテーブルの上方に配置されて前記コンピュータに接続される推牌器と、該推牌器と前記傾斜ターンテーブルとを連結して電磁気を用いて牌を搬送する搬送路と、前記推牌器に隣接して配置されて前記モータに駆動されるリフタを介して昇降される昇降板と、前記卓の天板に取り付けられて前記リフタを介して昇降される昇降パネルと、前記コンピュータに接続されて前記卓の下部に配置されるヒータと、該ヒータに接続され、環境温度を検知するとともに検知した前記環境温度の情報を前記コンピュータに供給する温度センサを有するセンサ群と、を備え、該センサ群は、前記温度センサに加えて識別センサ、位置検出センサ及び色検知センサを備えることを特徴とする。
【０００７】
第２の考案による自動麻雀卓は、第１の考案に係る自動麻雀卓において、前記コンピュータに電源、音声モジュール及びショート保護装置が接続され、該電源には漏電防止プラグが接続され、前記音声モジュールは、音声識別器及び音声プレーヤを有する、ことを特徴とする。
【０００８】
第３の考案による自動麻雀卓は、第１または第２の考案に係る自動麻雀卓において、前記昇降パネルの中央部分に透明状のサイコロ回転筒が配置され、該サイコロ回転筒の周囲に前記リフタを駆動させるボタン、及び指示灯が配置されたことを特徴とする。
【０００９】
第４の考案による自動麻雀卓は、第１〜第３のいずれか１の考案に係る自動麻雀卓において、前記卓の天板における前記昇降パネルと対応する位置に前記卓の天板の表面と裏面とで転回可能な板が配置され、前記板及び前記卓の天板が防水加工されていることを特徴とする。
【考案の効果】
【００１０】
本考案によれば、三人麻雀を行うに際して、余剰の遊戯者席が生じないことから、三人麻雀の興趣が削がれることがなく、むしろその興趣が向上される。
【図面の簡単な説明】
【００１１】
【図１】本考案の実施の形態に係る自動麻雀卓の概略を説明する図である。
【図２】同じく、本実施の形態に係る自動麻雀卓の内部の構造の概略を説明する図である。
【図３】同じく、本実施の形態に係る自動麻雀卓の回路構成の概略を説明するブロック図である。
【考案を実施するための形態】
【００１２】
次に、図１〜図３を参照して、本考案の実施の形態について説明する。
【００１３】
図１は、本実施の形態に係る自動麻雀卓の概略を説明する図、図２は、自動麻雀卓の内部の構造の概略を説明する図、図３は、自動麻雀卓の回路構成の概略を説明するブロック図である。
【００１４】
図示のように、自動麻雀卓は、平面視で三角形状の卓３、卓３を支持する三脚１を主要構成として備える。卓３は、本実施の形態では、ステンレス材が用いられて形成されている。卓３には、本実施の形態では、自動麻雀卓の作動処理を実行するコンピュータ２が搭載されている。
【００１５】
コンピュータ２には、モータ１２が接続され、このモータ１２には、本実施の形態では、モータ１２に駆動される駆動機構６が接続される。駆動機構６には、駆動機構６によって回転される傾斜ターンテーブル５が連結される。
【００１６】
この傾斜ターンテーブル５の上方には、本実施の形態では、推牌器７が配置されている。この推牌器７は、コンピュータ２に接続されており、推牌器７と傾斜ターンテーブル５との間は、電磁気を用いて牌を搬送する搬送路８によって連結されている。
【００１７】
一方、モータ１２には、モータ１２に駆動されるリフタ１０が接続される。このリフタ１０には、推牌器７に隣接して配置されてリフタ１０によって昇降される昇降板９が連結されるとともに、卓３の天板に取り付けられてリフタ１０によって昇降される昇降パネル４が連結される。
【００１８】
卓３の下部には、ヒータ１１が配置されている。このヒータ１１は、本実施の形態では、コンピュータ２に接続されている。
【００１９】
さらに、コンピュータ２には、本実施の形態では、センサ群１３が接続されている。このセンサ群１３は、牌の詰まりを識別する識別センサ１４、牌の位置を検出する位置検出センサ１５、牌の色を検知する色検知センサ１６、及び環境温度を検知するとともに検知した環境温度の情報をコンピュータ２に供給する温度センサ１７を備える。
【００２０】
識別センサ１４は、搬送路８の上に配置され、位置検出センサ１５は、昇降板９の端部に配置される。一方、色検知センサ１６は、推牌器７の入口端に配置され、温度センサ１７は、ヒータ１１の上に配置される。
【００２１】
コンピュータ２には、電源１８、音声モジュール１９及びショート保護装置２０が電気的に接続される。電源１８には、漏電を防止するプラグ２３が接続されるとともに、コンピュータ２に接続されたショート保護装置２０が接続される。
【００２２】
音声モジュール１９は、本実施の形態では、音声識別器２１及び音声プレーヤ２２によって構成される。
【００２３】
昇降パネル４の中央部分には、透明状のサイコロ回転筒２７が配置される。このサイコロ回転筒２７の周囲には、ボタン２４が対称的に装備されるとともに、指示灯２５が装備される。
【００２４】
卓３の天板は、本実施の形態では、防水性の材料が用いられて構成される。
【００２５】
次に、本実施の形態に係る自動麻雀卓の使用方法及び作動概要について説明する。
【００２６】
まず、使用者がボタン２４のうちの昇降キーを押下すると、コンピュータ２が作動してリフタ１０が駆動して、昇降パネル４が昇降する。昇降パネル４が上昇すると、牌を卓３の内部に投入することが可能となる。
【００２７】
傾斜ターンテーブル５は、駆動機構６によって回転せしめられて、傾斜ターンテーブル５の中央部分に偏位している牌を転覆させて、牌の表面を下側に向ける。
【００２８】
その後、牌は搬送路８を経由して推牌器７に搬送される。推牌器７は、搬送された牌を昇降板９に押し出す。これにより、昇降板９の上で牌が順次積み重ねられる。積み重ねられた牌は前方に押し出されて、昇降板９の端部において位置検出センサ１５が牌を検出すると、牌の整列が完了したと判定される。
【００２９】
このとき、コンピュータ２は通電を切断し、自動麻雀卓は待機状態に入る。
【００３０】
一方、識別センサ１４が搬送路８において牌の詰まりを検知した場合、あるいは色検知センサ１６が異なる色の牌を検知した場合にも、ショート保護装置２０が起動することを防止する観点から、コンピュータ２によって通電が切断される。
【００３１】
温度センサ１７は、現在の環境温度を検知するものであって、低温を検知するとヒータ１１が起動して、周辺環境の暖房が実行される。コンピュータ２は、温度センサ１７から環境温度の情報が供給（フィードバック）されて、この情報に基づいてヒータ１１の温度を調節する。したがって、快適な温度環境が提供される。
【００３２】
音声モジュール１９における音声識別器２１は、音声を発すべき信号を識別することが可能であって、この信号に基づいてコンピュータが音声信号を生成し、音声プレーヤ２２によって音声が発声される。この音声は、例えばゲームスタート時や、リーチ時、あるいはオーラス時等に発声される。
【００３３】
サイコロ回転筒２７は、自動で回転してサイコロが放られる。このサイコロ回転筒２７は、本実施の形態では透明状に形成されていることから、サイコロ回転筒２７内でサイコロが回転している状態を外部から視認することができる。
【００３４】
卓３の天板は、テーブルクロス材料で被覆されている。このテーブルクロス材料は防水機能を有することから、卓３の内部構造が水をかぶることが防止される。したがって、洗浄を行う際にも簡便に行うことができる。
【００３５】
このように、本実施の形態に係る自動麻雀卓によれば、卓３が平面視で三角形状に形成されることから、三人麻雀を行うに際して、余剰の遊戯者席が生じることがない。したがって、三人麻雀の興趣が削がれることがなく、むしろその興趣が向上される。
【００３６】
しかも、識別センサ１４によって牌の詰まりが検知され、色検知センサ１６によって異なる色の牌が検知される。さらに、ショート保護装置２０によって、不意の停電の際の自動麻雀卓の短絡事故が防止される。
【００３７】
さらに、コンピュータ２を介して温度センサ１７とヒータ１１とによって、快適な温度環境が提供される。音声プレーヤ２２と音声識別器２１とによって、ゲームの進行に応じた音声が発声されることから、遊戯者と自動麻雀卓との間で双方向の情報交換が実現される。
【００３８】
なお、本考案は上記実施の形態に限定されることはなく、考案の趣旨を逸脱しない範囲で種々変更可能である。
【符号の説明】
【００３９】
１    三脚
２    コンピュータ
３    卓
４    昇降パネル
５    傾斜ターンテーブル
６    駆動機構
７    推牌器
８    搬送路
９    昇降板
１０    リフタ
１１    ヒータ
１４    識別センサ
１５    位置検出センサ
１６    色検知センサ
１７    温度センサ
１９    音声モジュール
２７    サイコロ回転筒
【図１】
0003212677.tif 000003
【図２】
0003212677.tif 000004
【図３】
0003212677.tif 000005